(57)【特許請求の範囲】
【請求項１】
島設備に設置された本体枠に回動可能に軸支された前面枠を備え、
該前面枠の裏面側上部に、前記島設備に設けられた補給装置から補給された遊技球を貯留する貯留タンクを設け、
該貯留タンクは導電性部材により構成され、前記前面枠を閉止方向に回動させた場合に、前記貯留タンクの後端部が、前記前面枠の開閉状態を検出するために前記補給装置に設けられた検出部に接触する遊技機において、
遊技領域を構成する遊技盤と、
前記前面枠の裏面側に取り付けられ、該遊技盤を収納する導電性を有する裏面側構成部材と、
該裏面側構成部材の背部に取り付けられ、裏面側上部に前記貯留タンクを有する裏機構盤と、
を備え、
前記貯留タンクは、前側起立壁の上端から下方に向かって一対のスリット状の切欠部を略平行に形成し、両切欠部間の壁面の上端から前方に向かって突出片を略水平に突出させることで構成される突出部を備え、
前記貯留タンクの後端部には前記補給装置の検出部と前記貯留タンクとが直接的に接触するのを防止する非導電性の保護部材が取り付けられ、
前記保護部材に設けられた係合手段と前記貯留タンクに設けられた被係合手段との相互作用により、前記保護部材が前記貯留タンクに対して係合離脱可能に装着される構成とし、
前記係合手段は、
板状部材の上部に弾性変形可能な係合片部と、
前記係合片部の先端に形成されて前方に突出する係合爪部と、
前記係合爪部の基端に形成されて後方に向けて下り傾斜する係合被案内部と、
から構成され、
前記被係合手段は、
前記貯留タンクの後端部の上端縁部から後方に突出する帯状突出部と、
該帯状突出部に上下に貫通して開口し、前記係合片部を挿入させる挿入案内通路部と、
前記挿入案内通路部の上側開口部の前縁部分によって、前記係合片部を係合させる被係合部と、
前記挿入案内通路の下側開口部から、上方に向けて前記係合爪部を挿入すると、前記係合被案内部が前記下側開口部の後縁部分に接して前記係合爪部を前記被係合部に係合させる方向に案内する係合案内部と、から構成され、
前記裏機構盤には、前記突出片を貫通させる貫通穴が設けられ、
前記突出片が、前記貫通穴を貫通して、その先端部が前記裏面側構成部材に当接し、
前記前面枠を閉止すると、前記貯留タンクの後端部に係合した状態の前記保護部材が、バネ材により付勢された前記補給装置の検出部に当接することを特徴とする遊技機。
【発明の詳細な説明】
【０００１】
【発明の属する技術分野】
本発明は、本体枠に回動可能に軸支された前面枠を備えると共に、該前面枠の裏面側上部に、遊技球を貯留する貯留タンクを備える遊技機に関する。
【０００２】
【従来の技術】
遊技球を用いて遊技を行う遊技機、例えば、パチンコ遊技機は、遊技店の島設備に固定設置された本体枠と、該本体枠の一側方に回動可能に軸支された前面枠とを備えている。
前面枠の裏面側上部には、遊技球を貯留する貯留タンクが設けられる一方、該貯留タンクの背部（島設備側）には、貯留タンクに遊技球を補給する補給装置が設置されている。
貯留タンクは、上方に開口部を有する箱状容器であって、補給装置から放出された遊技球を上記開口部から受け入れるように構成されている。
一方、補給装置は、貯留タンクの開口部と対応する位置（開口部の上方位置）に、貯留タンクに遊技球を補給する補給口を有している。また、補給装置は、前面枠が開放しているか否か（貯留タンクに遊技球を補給可能であるか否か）を検出するための検出部を備え、この検出部による検出に基づいて遊技球の補給制御を行うようになっている。
【０００３】
そして、上記貯留タンクは、一般に、非導電性の合成樹脂で成形されている。また、貯留タンクの開口部周縁には、補給装置から貯留タンクに遊技球を補給する際に、該補給球が貯留タンクからこぼれ落ちるのを防止するこぼれ球防止部材が取り付けられている。
【０００４】
【発明が解決しようとする課題】
しかしながら、上記従来の遊技機のように、非導電性の合成樹脂で貯留タンクを形成した場合には、貯留タンクに貯留している遊技球の静電気を外部に放電することができないので、その静電気が、例えば、前面枠裏面側に配置される各種制御装置等に対して悪影響を及ぼす虞があった。
【０００５】
これを解消すべく、例えば、特開平１１−１０４３２１号公報に示されるように、導電性（電気伝導性）を有する導電性樹脂で貯留タンクを成形すると共に、該貯留タンクを遊技盤収納フレームと電気伝導可能な状態で接続して、遊技盤収納フレームを介して、貯留タンクに貯留している遊技球の静電気を放電するようにした遊技機が開発されている。
ところが、特開平１１−１０４３２１号公報に示される上記遊技機の場合には、補給装置の検出部と貯留タンクとが接触した際に、貯留タンクに貯留している遊技球の静電気が補給装置（島設備側）に放電されたり、これとは反対に、島設備側の静電気が貯留タンクの遊技球に放電されたりする可能性があった。即ち、島設備側の補給装置、遊技機側の貯留タンクの何れか一方に静電気が帯電している場合に、その静電気が他方に流れて、他方の側にある制御装置等に対して悪影響を及ぼす虞があった。
【０００６】
また、上記従来の遊技機では、こぼれ球防止部材が外れて島設備の球流路等に落下することがあり、それが原因で、球流路にて球詰まりが発生することがあった。
【０００７】
本発明は、上記実情に鑑みなされたもので、貯留タンクの背部に配置される部材（例えば、補給装置の検出部）と貯留タンクとの間で静電気が伝導されることを防止可能であると共に、貯留タンクに貯留している遊技球の静電気を放電することが可能な遊技機を提供することを目的とする。
さらに、本発明は、貯留タンクに取り付けた部材が貯留タンクから脱落することを防止可能な遊技機を提供することを目的とする。
【０００８】
【課題を解決するための手段】
上記の課題を解決するため、
請求項１記載の発明は、島設備に設置された本体枠に回動可能に軸支された前面枠を備え、
該前面枠の裏面側上部に、前記島設備に設けられた補給装置から補給された遊技球を貯留する貯留タンクを設け、
該貯留タンクは導電性部材により構成され、前記前面枠を閉止方向に回動させた場合に、前記貯留タンクの後端部が、前記前面枠の開閉状態を検出するために前記補給装置に設けられた検出部に接触する遊技機において、
遊技領域を構成する遊技盤と、
前記前面枠の裏面側に取り付けられ、該遊技盤を収納する導電性を有する裏面側構成部材と、
該裏面側構成部材の背部に取り付けられ、裏面側上部に前記貯留タンクを有する裏機構盤と、
を備え、
前記貯留タンクは、前側起立壁の上端から下方に向かって一対のスリット状の切欠部を略平行に形成し、両切欠部間の壁面の上端から前方に向かって突出片を略水平に突出させることで構成される突出部を備え、
前記貯留タンクの後端部には前記補給装置の検出部と前記貯留タンクとが直接的に接触するのを防止する非導電性の保護部材が取り付けられ、
前記保護部材に設けられた係合手段と前記貯留タンクに設けられた被係合手段との相互作用により、前記保護部材が前記貯留タンクに対して係合離脱可能に装着される構成とし、
前記係合手段は、
板状部材の上部に弾性変形可能な係合片部と、
前記係合片部の先端に形成されて前方に突出する係合爪部と、
前記係合爪部の基端に形成されて後方に向けて下り傾斜する係合被案内部と、
から構成され、
前記被係合手段は、
前記貯留タンクの後端部の上端縁部から後方に突出する帯状突出部と、
該帯状突出部に上下に貫通して開口し、前記係合片部を挿入させる挿入案内通路部と、
前記挿入案内通路部の上側開口部の前縁部分によって、前記係合片部を係合させる被係合部と、
前記挿入案内通路の下側開口部から、上方に向けて前記係合爪部を挿入すると、前記係合被案内部が前記下側開口部の後縁部分に接して前記係合爪部を前記被係合部に係合させる方向に案内する係合案内部と、から構成され、
前記裏機構盤には、前記突出片を貫通させる貫通穴が設けられ、
前記突出片が、前記貫通穴を貫通して、その先端部が前記裏面側構成部材に当接し、
前記前面枠を閉止すると、前記貯留タンクの後端部に係合した状態の前記保護部材が、バネ材により付勢された前記補給装置の検出部に当接することを特徴とする。
【００１０】
ここで、遊技機としては、球を遊技媒体とする弾球遊技機、例えば、パチンコ遊技機、アレンジボール遊技機、或いは雀球遊技機などが挙げられる。
導電性部材としては、例えば、金属や、電気伝導性を有する導電性樹脂（電気伝導性樹脂）などが挙げられる。また、保護部材の形状は、例えば、板状、ブロック状などが挙げられるが、貯留タンクの後端部に取り付けられた状態において、貯留タンクの背部に配置される部材と貯留タンクとの間の静電気の流れを遮断することができれば、如何なる形状としてもよい。
貯留タンクの背部に配置される部材としては、例えば、貯留タンクに遊技球を補給する補給装置の検出部や、遊技機に電源を投入する電源コードなどが挙げられる。
【００１８】
【発明の実施の形態】
以下、この発明の実施の形態について、図１〜図７の図面を参照しながら説明する。
図１は、本発明に係る遊技機の一形態として例示するパチンコ遊技機を示す正面図である。図２は、パチンコ遊技機の背面図である。
【００１９】
この実施の形態のパチンコ遊技機１００は、球を遊技媒体とする遊技機であって、その本体枠１１０には、前面枠１１１が左端を軸心として片開き形式に開閉自在に取り付けられている。前面枠１１１の前面側上半部には、透明なガラス板１０１がガラス収納枠１０２に保持された状態で開閉自在に取り付けられ、ガラス板１０１の奥側には、遊技領域１ａを構成する遊技盤１が設置されている。
【００２０】
この遊技盤１のガイドレール２で囲まれた遊技領域１ａには、普図始動ゲート６，６、特別図柄（特図）表示装置、普通図柄（普図）表示装置７、普図変動表示遊技の結果如何によって開閉部材９ａ，９ａを開（遊技者にとって有利な状態）閉（遊技者にとって不利な状態）させる特図始動口を兼ねた普通変動入賞装置９、特図変動表示遊技の結果如何によって大入賞口を閉じた状態（遊技者にとって不利な状態）から開放状態（遊技者にとって有利な状態）に変換するサイクル遊技を行う特別変動入賞装置５、一般入賞口８，…、サイドランプ１２，１２、風車と呼ばれる打球方向変換部材１４，１４、多数の障害釘（図示省略）などが配設されている。遊技領域１ａの最下端部中央にはアウト球を回収するためのアウト穴１３が設けられている。
【００２１】
また、前面枠１１１の前面側下半部には、開閉パネル１０３が左端を軸心として片開き形式に開閉自在に取り付けられ、この開閉パネル１０３の前側には、球排出装置３０（図２）より排出された球（賞球、貸球）を貯留すると共にその貯留している球を順次発射部（図示省略）へと供給する上皿１０５が設置されている。
この開閉パネル１０３の下方位置には、上皿１０５に収容しきれない遊技球を収容する下皿１０７や、遊技領域１ａに向けて遊技球の発射操作を行うための操作ハンドル１０４などが設置されている。
【００２２】
前面枠１１１の裏面側には、図３に示すように、遊技盤１を収納する金属製の遊技盤収納フレーム１３０（裏面側構成部材）が取り付けられている。この遊技盤収納フレーム１３０は、前方に開口部を有する凹状の矩形枠体であって、この遊技盤収納フレーム１３０の背部には、該遊技盤収納フレーム１３０の裏面側を覆う状態で裏機構盤１２０が取り付けられている。
この裏機構盤１２０の裏面側には、図２に示すように、予備球を貯留するための貯留タンク４０、該貯留タンク４０からの予備球を整列させながら流下案内する導出樋３２、該導出樋３２により流下案内される球の球抜きや球排出装置３０（後述）への流下案内を行う球抜きユニット３３、該球抜きユニット３３を介して流下案内された球を所定条件の成立（例えば、普通変動入賞装置９、一般入賞口８、特別変動入賞装置５等の入賞口に球が入賞したこと、或いは球貸し操作が行われたこと）に基づいて所要数排出する球排出装置３０、該球排出装置３０より排出された球を上皿１０５又は下皿１０７へと流下案内する案内樋３４等が配設される他、遊技の進行に関する制御を行う遊技制御装置２０、該遊技制御装置２０からの指令に基づいて球排出装置３０の制御等を行う排出制御装置２５、各種制御装置等に電源を供給する電源装置２４、島設備から電源を導入するための電源コード（図示省略）が接続されたターミナル基板２９等が配設されている。
【００２３】
この裏機構盤１２０の裏面側上部には、図４に示すように、貯留タンク４０を取り付けるための凹状の取付部１２１が形成されている。この取付部１２１は、貯留タンク４０の前端部分を収納し得る形状に窪ませてあって、その起立面１２２の上部には、一対の貫通穴１２３，１２３が左右に並んだ状態で形成されている。
【００２４】
貯留タンク４０は、導電性を有する導電性樹脂（例えば、樹脂に金属、炭素などの導電性物質を混合したもの）により成形された上面開放タイプの箱状容器であって、その底面４１の傾斜下端には、貯留球を導出樋３２に放出するための放出口４２が備えられている。
この貯留タンク４０の底面４１には、該貯留タンク４０における球切れを検出するための球切れスイッチ４３が設置され、貯留タンク４０の下端部には、導出樋３２を流下する遊技球を均すための球均し部材４４が揺動自在な状態で取り付けられている。
【００２５】
また、貯留タンク４０の後端部（後側起立壁４０Ａ）には、後述する補給装置２００の検出部２０２（貯留タンク４０の背部に配置される部材）と貯留タンク４０（導電性部材により構成される部分）とが直接的に接触するのを防止する非導電性の保護部材６０が取り付けられている。この保護部材６０は、例えば、ＡＢＳ（アクリロニトリル−ブタジエン−スチレン）樹脂などにより成形されている。
この保護部材６０の前端上部には、図６に示すように、係合手段７０が設けられる一方、貯留タンク４０の後側起立壁４０Ａの上部には、係合手段７０と係合可能な被係合手段５０が設けられている。即ち、保護部材６０が貯留タンク４０に対して、係合手段７０と被係合手段５０との相互作用により、係合離脱可能に装着される構成となっている。
【００２６】
保護部材６０は、図５及び図６に示すように、矩形板状の起立壁６１を備えていて、この起立壁６１の背面上部には、先端が上方を向く断面略Ｌ字状の突出片６２が突設される一方、起立壁６１の背面下部には、突出片６２の後端と面一となる状態で複数の柱状突部６３，…が形成されている。起立壁６１は、図６に示すように、その上部に弾性変形可能な係合片部７１を有し、この係合片部７１の先端には、前方に突出する係合爪部７２が設けられる一方、係合片部７１の基端側背面には、後方に向けて下り傾斜する傾斜面を有する係合被案内部７３が設けられている。これら係合片部７１、係合爪部７２、係合被案内部７３により、上記係合手段７０が構成されている。なお、突出片６２は、保護部材６０を貯留タンク４０に取り付けた状態でその先端が貯留タンク４０の後側起立壁４０Ａの上端より上方に突出するように形成されている。即ち、保護部材６０は、貯留タンク４０から遊技球がこぼれ落ちるのを防止するこぼれ球防止部材としての機能を兼ね備えている。
【００２７】
一方、貯留タンク４０の後側起立壁４０Ａの上端縁部には、図５に示すように、後方に突出する帯状突出部４８が形成され、この帯状突出部４８には、図６に示すように、上下に貫通するスリット状の貫通孔４９が形成されている。そして、この貫通孔４９によって、係合片部７１を挿入させる挿入案内通路部５１が構成されている。また、この貫通孔４９の上側開口部の前縁部分によって、貫通孔４９に係合片部７１を挿入させた状態で係合爪部７２を係合させる被係合部５２が構成されている。また、貫通孔４９の下側開口部の後縁部分によって、係合爪部７２が被係合部５２と出合う際に係合被案内部７３に接して係合爪部７２を被係合部５２に係合させる方向に案内する係合案内部５３が構成されている。そして、これら挿入案内通路部５１、被係合部５２、係合案内部５３により、上記被係合手段５０が構成されている。
【００２８】
例えば、保護部材６０を貯留タンク４０に装着する場合には、図６（ａ）に示すように、保護部材６０の係合片部７１を貯留タンク４０の挿入案内通路部５１に位置合わせし、この状態で、保護部材６０を上方に移動させることにより、図６（ｂ）に示すように、下方から保護部材６０の係合片部７１を挿入案内通路部５１に挿入する。すると、係合片部７１が暫く進んだところで、係合爪部７２が被係合部５２と出合い、その出会う際に、係合案内部５３に係合被案内部７３が接触案内されて、図６（ｃ）に示すように、係合爪部７２が被係合部５２に係合する状態に移行される。これにより、保護部材６０が貯留タンク４０に装着される。
一方、貯留タンク４０から保護部材６０を取り外す場合には、先ず、係合爪部７２を後方に押圧することにより係合片部７１の先端側を撓ませて、係合爪部７２と被係合部５２との係合を解除させる。次に、この状態で、保護部材６０を下方に移動させることにより、係合片部７１を挿入案内通路部５１中から引き抜く。これにより、保護部材６０が貯留タンク４０から分離される。
このように、係合片部７１に所要の力を付与して係合片部７１の先端側を撓ませない限り、係合爪部７２と被係合部５２との係合を解除できないように構成されているので、貯留タンク４０と保護部材６０とが偶然に分離されて保護部材６０が脱落するといった心配がない。従って、保護部材６０が島設備の球流路等における球詰まりの原因となることもない。
【００２９】
図４に示すように、貯留タンク４０の前側起立壁４０Ｂには、前述した裏機構盤１２０の貫通穴１２３，１２３と対応する位置に、突出部４５，４５がそれぞれ形成されている。
突出部４５は、図５に示すように、前側起立壁４０Ｂの上端から下方に向かって一対のスリット状の切欠部４５ｃ，４５ｃを略平行に形成し、両切欠部４５ｃ，４５ｃ間の壁面４５ｂの上端から前方に向かって突出片４５ａを略水平に突出させることで、構成されている。突出片４５ａの突出長さは、貯留タンク４０を裏機構盤１２０に取り付けた状態で、突出片４５ａ，４５ａが貫通穴１２３，１２３を貫通してその先端が遊技盤収納フレーム１３０の背面に圧接し得る長さに設定されている。突出部４５，４５は、導電性樹脂により貯留タンク４０と一体成形されており、遊技盤収納フレーム１３０と当接した状態において、貯留タンク４０に貯留している遊技球の静電気を遊技盤収納フレーム１３０に伝導可能となっている。
【００３０】
このように構成される貯留タンク４０を裏機構盤１２０に取り付けるには、図４に示すように、裏機構盤１２０の裏面側上部に貯留タンク４０の前端部を臨ませ、この状態で貯留タンク４０を前進させながら突出部４５，４５の突出片４５ａ，４５ａを裏機構盤１２０の貫通穴１２３，１２３に位置合わせする。そして、さらに貯留タンク４０を前進させることにより突出片４５ａ，４５ａを貫通穴１２３，１２３に挿入すると共に、貯留タンク４０の前端部分を裏機構盤１２０の取付部１２１に嵌入し、十分に前進させた状態で、貯留タンク４０の両側部にある保持部材（ナイラッチ）４６ａ，４６ａを裏機構盤１２０の保持穴１２４ａ，１２４ａへ向けて押圧し、保持部材４６ａ，４６ａを保持穴１２４ａ，１２４ａに係合させる。
このようにして、貯留タンク４０を裏機構盤１２０に取り付けた状態では、突出片４５ａ，４５ａが貫通穴１２３，１２３を貫通してその先端が遊技盤収納フレーム１３０の背面に接触して、貯留タンク４０と遊技盤収納フレーム１３０とが電気伝導可能に接続された状態となっている。従って、貯留タンク４０の遊技球に静電気が帯電している場合には、その静電気を、遊技盤収納フレーム１３０を介して放電することが可能となる。よって、貯留タンク４０に貯留している遊技球の静電気が原因で、前面枠１１１裏面側の制御装置等に誤作動が生じることを防止することができる。
【００３１】
次に、上記貯留タンク４０に遊技球を補給する補給装置２００について説明する。
【００３２】
補給装置２００はパチンコ遊技機１００とともに島設備に設置されている。この補給装置２００は、図７に示すように、貯留タンク４０に遊技球を補給する補給口２０４と、前面枠１１１の開閉状態に応じて補給口２０４を開閉可能な開閉部材２０１と、を備えている。
補給口２０４は、前面枠１１１を閉止したときに貯留タンク４０の開口部（球流入口）４７と対向する位置に配置されている。
開閉部材２０１は、支軸２０１ａを中心に回動自在に保持されていて、その基端側に、補給口２０４を開閉するための蓋部２０３を備える一方、自由端側に、前面枠１１１の開閉状態を検出するための検出部２０２を備えている。
検出部２０２は、前面枠１１１を開放した状態では、図７（ａ）に示すように、バネ材（図示省略）による付勢により、貯留タンク４０と離間した位置に配置されている。このとき、開閉部材２０１は、その蓋部２０３で補給口２０４を閉塞する回動位置（補給口２０４からの遊技球の放出を阻止する回動位置）に配置されている。
この状態から、前面枠１１１を閉止方向に回動させると、所要量回動させたところで、保護部材６０が検出部２０２に当接し、さらに前面枠１１１を閉止方向に回動させていくと、検出部２０２が前面枠１１１に追従して変位することにより、開閉部材２０１が反時計まわり（図７から見て）に回動する。そして、前面枠１１１を閉止した状態では、図７（ｂ）に示すように、開閉部材２０１が補給口２０４を開放する回動位置（補給口２０４からの遊技球の放出を許容する回動位置）に配置される。
また、この状態から、前面枠１１１を開放方向に回動させると、検出部２０２が前面枠１１１に追従して変位することにより開閉部材２０１が時計まわり（図７から見て）に回動する。その後、前面枠１１１を所要量回動させたところで、開閉部材２０１が補給口２０４を閉塞する回動位置に到達し、その回動位置で、開閉部材２０１がストッパ（図示省略）により係止されて停止する。さらに前面枠１１１を開放方向に回動させていくと、保護部材６０が検出部２０２から徐々に離間して、図７（ａ）の状態となる。
即ち、補給装置２００は、前面枠１１１が閉止された状態（補給口２０４の下方位置に貯留タンク４０が配置されている状態）においてのみ、補給口２０４から遊技球を放出可能となっている。
【００３３】
このように補給装置２００は構成されており、前面枠１１１の開閉に際して、その検出部２０２に保護部材６０が当接するようになっている。
つまり、この実施の形態のパチンコ遊技機１００では、導電性を有する貯留タンク４０の後端部に、非導電性の保護部材６０を取り付けることで、貯留タンク４０（導電性部材により構成される部分）と補給装置２００の検出部２０２（貯留タンク４０の背部に配置される部材）とが直接的に接触するのを防止して、貯留タンク４０と補給装置２００の検出部２０２との間で静電気が伝導されることを防止するようにしている。
このため、例えば、検出部２０２、貯留タンク４０の何れか一方に静電気が帯電している場合においても、その静電気の流れが保護部材６０により遮断されて、他方に伝導されることはない。
従って、検出部２０２に帯電している静電気が原因で、パチンコ遊技機１００の制御装置等に誤作動が生じたり、或いは貯留タンク４０に帯電している静電気が原因で、島設備に設置される制御装置等に誤作動が生じたりすることを防止できる。
【００３４】
しかも、この実施の形態のパチンコ遊技機１００では、貯留タンク４０と遊技盤収納フレーム１３０とが電気伝導可能な状態で接続されているので、貯留タンク４０に貯留している遊技球の静電気を、遊技盤収納フレーム１３０を介して放電することができる。従って、貯留タンク４０に貯留している遊技球の静電気が原因で、前面枠１１１裏面側の制御装置等に誤作動が生じたりすることを防止できる。
【００３５】
なお、本発明はこの実施の形態のパチンコ遊技機に限られるものではなく、例えば、その他のパチンコ遊技機、アレンジボール遊技機、雀球遊技機などの弾球遊技機等にも適用可能である。
また、この実施の形態では、貯留タンク４０を導電性樹脂（電気伝導性樹脂）により構成したが、その他の導電性物質、例えば金属により構成することも可能である。また、この実施の形態では、矩形板状の保護部材６０を貯留タンク４０の後側起立壁４０Ａの上部に取り付けるようにしたが、貯留タンク４０と補給装置２００の検出部２０２（貯留タンクの背部に配置される部材）との間の静電気の流れを遮断することができれば、保護部材６０の取付位置や形状等は適宜に変更可能である。
また、この実施の形態では、貯留タンク４０に被係合手段５０を設け、保護部材６０に係合手段７０を設けるようにしたが、例えば、貯留タンク４０に係合手段７０を設け、保護部材６０に被係合手段５０を設けるようにすることも可能である。
また、この実施の形態では、貯留タンク４０の背部に配置される部材として、補給装置２００の検出部２０２を例示したが、例えば、島設備から電源を導入するための電源コードを対象とすることも可能である。
【００３６】
また、この実施の形態では、貯留タンク４０と遊技盤収納フレーム１３０とを接触状態にして両者を電気伝導可能な状態で接続するようにしたが、例えば、導線等を介して両者を電気伝導可能な状態で接続することも可能である。また、この実施の形態では、導電性を有する裏面側構成部材として、遊技盤収納フレーム１３０を例示したが、これに限られるものではなく、例えば、導電性樹脂により裏機構盤１２０を構成し、該裏機構盤１２０を裏面側構成部材とすることも可能である。また、裏面側構成部材は単数に限られるものではなく、複数であってもよい。例えば、貯留タンク４０と複数の裏面側構成部材とを並列的又は直列的に電気伝導可能な状態で接続することで、貯留タンク４０の静電気をさらに放電し易くすることも可能である。また、裏面側構成部材をアース電極に接続するようにしてもよい。そうすることで、貯留タンク４０の静電気を確実に除去することが可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
【発明の効果】
請求項１記載の発明によれば、島設備に設置された本体枠に回動可能に軸支された前面枠を備え、該前面枠の裏面側上部に、前記島設備に設けられた補給装置から補給された遊技球を貯留する貯留タンクを設け、該貯留タンクは導電性部材により構成され、前記前面枠を閉止方向に回動させた場合に、前記貯留タンクの後端部が、前記前面枠の開閉状態を検出するために前記補給装置に設けられた検出部に接触する遊技機において、遊技領域を構成する遊技盤と、前記前面枠の裏面側に取り付けられ、該遊技盤を収納する導電性を有する裏面側構成部材と、該裏面側構成部材の背部に取り付けられ、裏面側上部に前記貯留タンクを有する裏機構盤と、を備え、前記貯留タンクは、前側起立壁の上端から下方に向かって一対のスリット状の切欠部を略平行に形成し、両切欠部間の壁面の上端から前方に向かって突出片を略水平に突出させることで構成される突出部を備え、前記貯留タンクの後端部には前記補給装置の検出部と前記貯留タンクとが直接的に接触するのを防止する非導電性の保護部材が取り付けられ、前記裏機構盤には、前記突出片を貫通させる貫通穴が設けられ、前記突出片が、前記貫通穴を貫通して、その先端部が前記裏面側構成部材に当接し、前記前面枠を閉止すると、前記貯留タンクの後端部に係合した状態の前記保護部材が、バネ材により付勢された前記補給装置の検出部に当接する構成としたので、貯留タンク（導電性部材により構成される部分）と補給装置の検出部とが直接的に接触するのを防止して、貯留タンクと補給装置の検出部との間で静電気が伝導されることを防止することができる。このため、例えば、検出部、貯留タンクの何れか一方に静電気が帯電している場合においても、その静電気の流れが保護部材により遮断されて、他方に伝導されることはない。従って、検出部に帯電している静電気が原因で、遊技機の制御装置等に誤作動が生じたり、或いは貯留タンクに帯電している静電気が原因で、島設備に設置される制御装置等に誤作動が生じたりすることを防止できる。また、貯留タンクと裏面側構成部材とが電気伝導可能な状態で接続されているので、貯留タンクに貯留している遊技球の静電気を、裏面側構成部材を介して放電することができる。従って、貯留タンクに貯留している遊技球の静電気が原因で、前面枠裏面側の制御装置等に誤作動が生じたりすることを防止できる。
また、前記保護部材に設けられた係合手段と前記貯留タンクに設けられた被係合手段との相互作用により、前記保護部材が前記貯留タンクに対して係合離脱可能に装着される構成とし、前記係合手段は、板状部材の上部に弾性変形可能な係合片部と、前記係合片部の先端に形成されて前方に突出する係合爪部と、前記係合爪部の基端に形成されて後方に向けて下り傾斜する係合被案内部と、から構成され、前記被係合手段は、前記貯留タンクの後端部の上端縁部から後方に突出する帯状突出部と、該帯状突出部に上下に貫通して開口し、前記係合片部を挿入させる挿入案内通路部と、前記挿入案内通路部の上側開口部の前縁部分によって、前記係合片部を係合させる被係合部と、前記挿入案内通路の下側開口部から、上方に向けて前記係合爪部を挿入すると、前記係合被案内部が前記下側開口部の後縁部分に接して前記係合爪部を前記被係合部に係合させる方向に案内する係合案内部と、から構成されるので、係合片部に所要の力を付与して係合片部の先端側を撓ませない限り、係合爪部と被係合部との係合を解除できないように構成されていると共に、前記前面枠を閉止すると、前記貯留タンクの後端部に係合した状態の前記保護部材が、バネ材により付勢された前記補給装置の検出部に当接するので、貯留タンクと保護部材とが偶然に分離されて保護部材が脱落するといった心配がない。従って、保護部材が島設備の球流路等における球詰まりの原因となることもない。
【図面の簡単な説明】
【図１】本発明に係る遊技機の一形態として例示するパチンコ遊技機を示す正面図である。
【図２】図１のパチンコ遊技機の背面図である。
【図３】図２の貯留タンク周辺を拡大した図である。
【図４】図２の貯留タンクの取付方法を説明する斜視図である。
【図５】図２の貯留タンクの斜視図である。
【図６】保護部材の取付方法を説明する断面図である。
【図７】図１のパチンコ遊技機と補給装置を示す平面図である。
【符号の説明】
１      遊技盤
４０    貯留タンク
４５    突出部
５０    被係合手段
５１    挿入案内通路部
５２    被係合部
５３    係合案内部
６０    保護部材
７０    係合手段
７１    係合片部
７２    係合爪部
７３    係合被案内部
１００  パチンコ遊技機（遊技機）
１１０  本体枠
１１１  前面枠
１２０  裏機構盤
１２３  貫通穴
１３０  遊技盤収納フレーム（裏面側構成部材）
２００  補給装置
２０２  検出部（貯留タンクの背部に配置される部材）
【図１】
0004287032.tif 000002
【図２】
0004287032.tif 000003
【図３】
0004287032.tif 000004
【図４】
0004287032.tif 000005
【図５】
0004287032.tif 000006
【図６】
0004287032.tif 000007
【図７】
0004287032.tif 000008